(57)【要約】【課題】イオンの発生量の低下を抑制するためのイオン発生装置および空気調和機を提供する。【解決手段】第１支持部１５３は、第１設置面Ｓ１に固定される第１固定部１５３ｃと、第１設置面Ｓ１から離間した位置に設けられる第１電極保持部１５３ａとを有する。放電部は、第１電極保持部１５３ａに保持される放電電極１５４を有する。第２支持部１５６は、第１設置面Ｓ１に固定される第２固定部１５６ｃと、第１設置面Ｓ１から離間した位置に設けられる第２電極保持部１５６ａとを有する。対向部は、第２電極保持部１５６ａに保持される対向電極１５７を有する。電圧供給部１５８は、放電電極１５４に所定の電圧を供給する。さらに、第１電極保持部１５３ａと第２電極保持部１５６ａとを結ぶ方向の対向電極１５７の長さが、第１電極保持部１５３ａと第２電極保持部１５６ａとを結ぶ最短距離の半分より短い。【選択図】　図４
2004141848.tif 000002
【特許請求の範囲】
【請求項１】
放電によりイオンを発生させるイオン発生装置であって、
第１設置面（Ｓ１）を有するベース部（１５２）と、
前記第１設置面（Ｓ１）に固定される第１固定部（１５３ｃ）と、前記第１設置面（Ｓ１）から離間した位置に設けられる第１電極保持部（１５３ａ）と、前記第１固定部（１５３ｃ）と前記第１電極保持部（１５３ａ）との間に設けられる第１中間部（１５３ｂ）とを有する第１支持部（１５３）と、
前記第１電極保持部（１５３ａ）に保持される放電電極（１５４）を有する放電部と、
前記第１設置面（Ｓ１）に固定される第２固定部（１５６ｃ）と、前記第１設置面（Ｓ１）から離間した位置に設けられる第２電極保持部（１５６ａ）と、前記第２固定部（１５６ｃ）と前記第２電極保持部（１５６ａ）との間に設けられる第２中間部（１５６ｂ）とを有する第２支持部（１５６）と、
前記第２電極保持部（１５６ａ）に保持される対向電極（１５７）を有する対向部と、
前記放電電極（１５４）に所定の電圧を供給する電圧供給部（１５８）と、
を備え、
前記第１電極保持部（１５３ａ）と前記第２電極保持部（１５６ａ）とを結ぶ方向の前記対向電極（１５７）の長さが、前記第１電極保持部（１５３ａ）と前記第２電極保持部（１５６ａ）とを結ぶ最短距離の半分より短い、イオン発生装置（１５）。
【請求項２】
前記第１電極保持部（１５３ａ）と前記第２電極保持部（１５６ｂ）とを結ぶ方向の前記放電電極（１５４）の長さが、前記第１電極保持部（１５３ａ）と前記第２電極保持部（１５６ａ）とを結ぶ最短距離の半分より短い、請求項１に記載のイオン発生装置（１５）。
【請求項３】
前記第１設置面（Ｓ１）と前記放電電極（１５４）との間の距離が、前記第１電極保持部（１５３ａ）と前記第２電極保持部（１５６ａ）とを結ぶ方向の前記放電電極（１５４）の長さより長い、請求項１または２に記載のイオン発生装置（１５）。
【請求項４】
前記第１設置面（Ｓ１）と前記対向電極（１５７）との間の距離が、前記第１電極保持部（１５３ａ）と前記第２電極保持部（１５６ａ）とを結ぶ方向の前記対向電極（１５７）の長さより長い、請求項１から３のいずれかに記載のイオン発生装置（１５）。
【請求項５】
前記第１設置面（Ｓ１）と前記放電電極（１５４）との間の距離が、前記第１設置面（Ｓ１）と前記対向電極（１５７）との間の距離より長い、請求項１から４のいずれかに記載のイオン発生装置（１５）。
【請求項６】
前記放電電極（１５４）は、前記対向電極（１５７）に向かって延びる針状電極（１５５）を有する、請求項１から５のいずれかに記載のイオン発生装置（１５）。
【請求項７】
放電によりイオンを発生させるイオン発生装置であって、
所定の間隔をあけて立設された第１隔壁（３２３，４２３）と第２隔壁（３２４，４２４）とを有するベース部（３２０，４２０）と、
前記ベース部（３２０，４２０）の前記第１隔壁（３２３，４２３）に片持ち支持された放電電極（３２５）と、
前記ベース部（３２０，４２０）の前記第２隔壁（３２４，４２４）に片持ち支持された対向電極（３２６）とを備えたことを特徴とするイオン発生装置。
【請求項８】
請求項７に記載のイオン発生装置において、
前記対向電極（３２６）を覆うように設けられた絶縁性を有するカバー（４２２）を備えたことを特徴とするイオン発生装置。
【請求項９】
請求項８に記載のイオン発生装置において、
前記絶縁性を有するカバー（４２２）は、前記ベース部（４２０）の第１，第２隔壁（４２３，４２４）と一体に形成されていることを特徴とするイオン発生装置。
【請求項１０】
調和された空気を室内に供給するための空気調和機であって、
空気を調和する空気調和部（１１）と、
前記空気調和部（１１）により調和された空気を室内に送風する送風部（１２，１３）と、
前記送風部（１２，１３）により発生される空気流れの中に設けられる請求項１から９のいずれかに記載のイオン発生装置と、を備える空気調和機（１）。
【発明の詳細な説明】
【０００１】
【発明の属する技術分野】
本発明は、イオン発生装置および空気調和機、特に、放電により空気をイオン化させるためのイオン発生装置および空気調和機に関する。
【０００２】
【従来の技術】
従来より、ビルや住宅等の室内において、調和された空気を室内に送風することにより、室内の快適性を向上させる空気調和機が知られている。例えば、エアコンは、温風や冷風を室内に送風することにより、室内を快適な温度に保つことができる。
【０００３】
このようなエアコンとしては、室内にマイナスイオンを供給するためのマイナスイオン発生装置を備えるものもある（例えば、特許文献１から４参照）。このマイナスイオン発生装置は、調和後の空気を室内に送風するための吹き出し口またはその近傍に設けられる。マイナスイオン発生装置は、放電により近傍の空気をイオン化する。そして、イオン化された空気と調和後の空気とが、混合されて室内に供給される。
【０００４】
【特許文献１】
特開平０９−２４５９３４号公報
【特許文献２】
特開２０００−７４２６３号公報
【特許文献３】
特開２０００−７４２６５号公報
【特許文献４】
特開２０００−７４２６６号公報
【０００５】
【発明が解決しようとする課題】
このようなマイナスイオン発生装置としては、図７に示されるように、放電により近傍の空気をイオン化するために、ベース部材２５２と、放電電極２５４と、対向電極２５７とを備えるシンプルな構造が考えられる。ベース部材２５２は、樹脂などの絶縁体であり、放電電極２５４と対向電極２５７との導通を防いでいる。放電電極２５４は、ベース部材２５２上に設けられ、対向電極２５７に向かって放電する。対向電極２５７は、ベース部材２５２上に設けられ、放電電極２５４からの放電を受ける。このようなマイナスイオン発生装置では、放電電極２５４からの放電により、両電極付近の空気がイオン化される。
【０００６】
しかし、図７に示すようなマイナスイオン発生装置においては、空気中に含まれる塵、埃、たばこのヤニなどの電解質が放電電極２５４から対向電極２５７への放電により両電極間のベース部材２５２表面に付着することがある。冷房運転時には室内に送風される空気中に水分が含まれ、この水分が付着物に吸着されることがある。電解質に水分が吸着されることにより、ベース部材２５２の表面が導電路となる。このため、放電電極２５４と対向電極２５７との間において、通電することがある。その結果、放電電極２５４から対向電極２５７への放電量が低下し、マイナスイオンの発生量が低下するおそれがある。
【０００７】
そこで、本発明では、イオンの発生量の低下を抑制するためのイオン発生装置および空気調和機を提供することを課題とする。
【０００８】
【課題を解決するための手段】
前記目的を達成するため、請求項１に記載のイオン発生装置は、放電によりイオンを発生させるイオン発生装置であって、ベース部と、第１支持部と、放電部と、第２支持部と、対向部と、電圧供給部とを備える。ベース部は、第１設置面を有する。第１支持部は、第１固定部と、第１電極保持部と、第１中間部とを有する。第１固定部は、第１設置面に固定される。第１電極保持部は、第１設置面から離間した位置に設けられる。第１中間部は、第１固定部と第１電極保持部との間に設けられる。放電部は、第１電極保持部に保持される放電電極を有する。第２支持部は、第２固定部と、第２電極保持部と、第２中間部とを有する。第２固定部は、第１設置面に固定される。第２電極保持部は、第１設置面から離間した位置に設けられる。第２中間部は、第２固定部と第２電極保持部との間に設けられる。対向部は、第２電極保持部に保持される対向電極を有する。電圧供給部は、放電電極に所定の電圧を供給する。さらに、第１電極保持部と第２電極保持部とを結ぶ方向の対向電極の長さが、第１電極保持部と第２電極保持部とを結ぶ最短距離の半分より短い。
【０００９】
このイオン発生装置では、電圧供給部から放電電極に所定の電圧が供給される。そして、放電電極から対向電極に向かう放電が発生する。両電極間における空気がイオン化される。
【００１０】
ここでは、放電電極と対向電極とがベース部から離間した位置に設けられている。このため、放電によって、ベース部に空気中の塵や埃などの電解質が付着されることが少なくなるので、イオンの発生量が低下することを抑制することができる。さらに、第１電極保持部と第２電極保持部とを結ぶ方向の対向電極の長さが、第１電極保持部と第２電極保持部とを結ぶ最短距離の半分より短い。このため、放電が放電電極の第２支持部側の部分から起こりやすいので、放電が第１支持部から遠ざかる方向に起こりやすくなる。つまり、放電電極から対向電極への放電経路が第１支持部から離間されることとなるので、放電時に空気中の塵や埃などの電解質が第１支持部の表面に付着される可能性が少なくなる。このため、第１支持部の表面を介して放電電極と対向電極との間に電流が流れにくくなるので、放電電極から対向電極に対する放電量の低下を抑えることができる。このため、このイオン発生装置では、イオンの発生量が低下することを抑制することができる。
【００１１】
請求項２に記載のイオン発生装置は、請求項１に記載のイオン発生装置であって、第１電極保持部と第２電極保持部とを結ぶ方向の放電電極の長さが、第１電極保持部と第２電極保持部とを結ぶ最短距離の半分より短い。
【００１２】
このため、対向電極は、放電を第１支持部側の部分において受けやすくなるので、放電電極から対向電極への放電経路は第２支持部から離間されることとなる。したがって、放電時に電解質が第２支持部の表面に付着される可能性が少なくなる。このため、第２支持部の表面を介して放電電極と対向電極との間に電流が流れにくくなる。その結果、このイオン発生装置では、放電電極から対向電極に対する放電量の低下をさらに抑え、イオンの発生量が低下することをさらに抑制することができる。
【００１３】
請求項３に記載のイオン発生装置は、請求項１または２に記載のイオン発生装置であって、第１設置面と放電電極との間の距離が、第１電極保持部と第２電極保持部とを結ぶ方向の放電電極の長さより長い。
【００１４】
このため、ここでは、放電電極から対向電極への放電は、第１設置面から離間された位置で行われることとなる。したがって、放電時に空気中の塵や埃などの電解質が第１設置面に付着される可能性が少なくなるので、第１設置面を介して放電電極と対向電極との間に電流が流れにくくなる。このため、放電電極から対向電極に対する放電量の低下をさらに抑えることができる。その結果、このイオン発生装置では、イオンの発生量が低下することをさらに抑制することができる。
【００１５】
請求項４に記載のイオン発生装置は、請求項１から３のいずれかに記載のイオン発生装置であって、第１設置面と対向電極との間の距離が、第１電極保持部と第２電極保持部とを結ぶ方向の対向電極の長さより長い。
【００１６】
このため、ここでは、放電電極から対向電極への放電経路が、第１設置面から離間されている。したがって、放電時に空気中の塵や埃などの電解質が第１設置面に付着される可能性が少なくなる。このため、第１設置面を介して放電電極と対向電極との間に電流が流れにくくなる。その結果、このイオン発生装置では、放電電極から対向電極に対する放電量の低下をさらに抑え、イオンの発生量が低下することをさらに抑制することができる。
【００１７】
請求項５に記載のイオン発生装置は、請求項１から４のいずれかに記載のイオン発生装置であって、第１設置面と放電電極との間の距離が、第１設置面と対向電極との間の距離より長い。
【００１８】
このため、ここでは、放電電極から対向電極への放電経路が、第１設置面から離間されている。したがって、放電時に空気中の塵や埃などの電解質が第１設置面に付着される可能性が少なくなる。このため、第１設置面を介して放電電極と対向電極との間に電流が流れにくくなる。その結果、このイオン発生装置では、放電電極から対向電極に対する放電量の低下をさらに抑え、イオンの発生量が低下することをさらに抑制することができる。
【００１９】
請求項６に記載のイオン発生装置は、請求項１から５のいずれかに記載のイオン発生装置であって、放電電極は、対向電極に向かって延びる針状電極を有する。
【００２０】
ここでは、放電電極の中でも針状電極の先端が対向電極に最も近接しているので、針状電極の先端から対向電極に向かって放電が起こる。したがって、放電電極から対向電極への放電の指向性が向上する。
【００２１】
請求項７に記載のイオン発生装置は、放電によりイオンを発生させるイオン発生装置であって、所定の間隔をあけて立設された第１隔壁と第２隔壁とを有するベース部と、前記ベース部の第１隔壁に片持ち支持された放電電極と、前記ベース部の第２隔壁に片持ち支持された対向電極とを備える。
【００２２】
このイオン発生装置によれば、前記ベース部の第１隔壁に片持ち支持された放電電極に所定の電圧が供給されると、放電電極から対向電極に向かって放電が発生し、両電極間の空気がイオン化される。上記放電電極と対向電極とがベース部に所定の間隔をあけて立設された第１隔壁と第２隔壁に夫々片持ち支持されており、両電極が第１隔壁側と第２隔壁側の離間した位置にあるため、沿面距離が十分に確保される。したがって、放電によって電極やベース部に空気中の塵や埃などの異物が付着しても、ベース部表面を介して放電電極と対向電極との間に電流が流れにくいからリークの発生を防止でき、イオンの発生量が低下することを抑制できる。
【００２３】
請求項８に記載のイオン発生装置は、前記対向電極を覆うように設けられた絶縁性を有するカバーを備える。
【００２４】
前記イオン発生装置によれば、前記対向電極を絶縁性を有するカバーで覆うことにより、対向電極が放電電極が露出する空間と隔てられ、放電電極と対向電極との間を絶縁物により絶縁するので、例え放電によって放電電極やベース部に空気中の塵や埃などの異物が付着しても、絶縁物によってベース部表面を介して放電電極と対向電極との間にリーク電流が流れるのを防止できる。
【００２５】
請求項９に記載のイオン発生装置は、前記絶縁性を有するカバーを前記ベース部の第１，第２隔壁と一体に形成する。
【００２６】
前記イオン発生装置によれば、前記絶縁性を有するカバーを前記ベース部の第１，第２隔壁と一体に形成することによって、放電電極と対向電極との間を確実に絶縁することができる。
【００２７】
請求項１０に記載の空気調和機は、調和された空気を室内に供給するための空気調和機であって、空気調和部と、送風部と、イオン発生装置とを備える、空気調和部は、空気を調和する。送風部は、空気調和部により調和された空気を室内に送風する。イオン発生装置は、送風部により発生される空気流れの中に設けられる。また、イオン発生装置は、請求項１から９のいずれかに記載のイオン発生装置である。
【００２８】
ここでは、空気調和部により空気が調和される。調和された空気は、送風部により室内へ送風される。イオン発生装置が、送風部により発生される空気流れの中に設けられ、空気の一部をイオン化させる。このため、室内にイオン化された調和空気が供給される。
【００２９】
この空気調和機では、放電電極から対向電極に対する放電量の低下を抑えることができるため、イオン発生装置のイオンの発生量が低下することを抑制することができる。
【００３０】
【発明の実施の形態】
以下、本発明のイオン発生装置および空気調和機を図示の実施の形態により詳細に説明する。
【００３１】
［第１実施形態］
＜空気調和機の構成＞
図１に本発明の第１実施形態が採用される空気調和機１の外観図を示す。
【００３２】
空気調和機１は、冷暖房や除湿などが行われた調和空気を室内に送風し、室内の空気の調和を行う装置である。この空気調和機１は、室内の壁面上部に取り付けられる室内機２と、室外に設置される室外機３と備えている。室外機３は、室外熱交換器や室外ファンなどを収納する室外空調ユニット５を備えている。
【００３３】
室内機２内には室内熱交換器が収納され、室外空調ユニット５内には室外熱交換器が収納されており、各熱交換器およびこれらの熱交換器を接続する冷媒配管６が、冷媒回路を構成している。
【００３４】
空気調和機１で用いられる冷媒回路の系統図を図２に示す。
【００３５】
室内機２内には、室内熱交換器１１が設けられている。この室内熱交換器１１は、長さ方向両端で複数回折り返されている伝熱管と、伝熱管が挿し通される複数のフィンとから構成される。この室内熱交換器１１は、接触する空気との間で熱交換を行う。
【００３６】
また、室内機２内には、室内空気を吸い込んで室内熱交換器１１との間で熱交換を行った後の空気を室内に吹き出すためのクロスフローファン１２が設けられている。クロスフローファン１２は、円筒形状に構成され、周面には回転軸方向に羽根が設けられている。そして、クロスフローファン１２は、回転軸と交わる方向に空気流を生成する。このクロスフローファン１２は、室内機２内に設けられるファンモータ１３によって回転駆動される。
【００３７】
室内機２には、さらに、熱交換を行った後の空気を室内に吹き出すための吹き出し口１４が設けられている（図１参照）。熱交換を行った後の空気は、クロスフローファン１２により吹き出し口１４を介して室内に送風される。また、クロスフローファン１２から吹き出し口１４に向けての送風流れ中にイオン発生装置１５が設けられる（図１参照）。
【００３８】
室外空調ユニット５には、圧縮機２１と、四路切換弁２２と、アキュムレータ２３と、室外熱交換器２４と、減圧器２５とが設けられている（図２参照）。四路切替弁２２は、圧縮機２１の吐出側に接続される。アキュムレータ２３は、圧縮機２１の吸入側に接続される。室外熱交換器２４は、四路切換弁２２に接続される。減圧器２５は、室外熱交換器２４に接続された電動膨張弁である。また、減圧器２５は、フィルタ２６および液閉鎖弁２７を介して配管３１に接続されており、配管３１を介して室内熱交換器１１の一端と接続される。さらに、四路切換弁２２は、ガス閉鎖弁２８を介して配管３２に接続されており、この配管３２を介して室内熱交換器１１の他端と接続されている。この配管３１，３２は図１の冷媒配管６に相当する。
【００３９】
＜イオン発生装置＞
図３から図５に、本発明の一実施形態が採用されたイオン発生装置１５を示す。図３はイオン発生装置を示す正面図であり、図４は放電板カバーをはずした状態のイオン発生装置を示す正面図であり、図５は図３のＶ−Ｖ線から見た断面図である。
【００４０】
イオン発生装置１５は、吹き出し口１４（図１に示す）を通る空気の一部を放電によりイオン化し、室内にマイナスイオンを供給するための装置であり、空気調和機１の運転中に作動するよう構成されている。イオン発生装置１５は、本体部１５０と、本体部１５０に着脱自在に装着される放電板カバー１５１とを備えている。
【００４１】
本体部１５０は、ベース部材１５２と、第１支持部材１５３と、放電電極プレート１５４と、第２支持部材１５６と、対向電極プレート１５７と、電圧供給部１５８とを備えている。
【００４２】
ベース部材１５２は、絶縁材料により形成される板状部材である。ベース部材１５２の上面Ｓ１には、第１支持部材１５３および第２支持部材１５６が取り付けられる。ベース部材１５２の下面には、一対の取り付け脚１５２ａが形成されている。取り付け脚１５２ａは、室内機２の吹き出し口１４に設けられた取り付け穴（図示せず）に装着される。
【００４３】
第１支持部材１５３は、ベース部材１５２の上面Ｓ１に垂直に設けられた絶縁体の樹脂製板状部材であり、第１保持部１５３ａと、第１中間部１５３ｂと、第１固定部１５３ｃとから構成される。第１保持部１５３ａは、ベース部材１５２の上面Ｓ１から離間した位置に設けられ、放電電極プレート１５４を保持している。第１中間部１５３ｂは、第１保持部１５３ａと第１固定部１５３ｃとの間に設けられる。第１固定部１５３ｃは、ベース部材１５２の上面Ｓ１に固定されている。
【００４４】
放電電極プレート１５４は、放電を行うために設けられる電極であり、電圧供給部１５８と接続されている。この放電電極プレート１５４は、上面視矩形の金属製板状部材であり、先端部１５４ａを含む。この先端部１５４ａには、針状電極１５５が対向電極プレート１５７に向かって突出して設けられている。
【００４５】
第２支持部材１５６は、ベース部材１５２の上面Ｓ１に垂直に設けられた絶縁体の樹脂製板状部材であり、第２保持部１５６ａと、第２中間部１５６ｂと、第２固定部１５６ｃとから構成される。第２保持部１５６ａは、ベース部材１５２の上面Ｓ１から離間した位置に設けられ、対向電極プレート１５７を保持している。第２中間部１５６ｂは、第２保持部１５６ａと第２固定部１５６ｃとの間に設けられる。第１固定部１５６ｃは、ベース部材１５２の上面Ｓ１に固定されている。
【００４６】
対向電極プレート１５７は、針状電極１５５からの放電を受けるために設けられる電極であり、電圧供給部１５８と接続されている。この対向電極プレート１５７は、放電電極プレート１５４と同様に、上面視矩形の金属製板状部材であり、先端部１５７ａを含む。
【００４７】
電圧供給部１５８は、放電電極プレート１５４に負電圧を供給するための装置であり、リード線１５８ａとアース線１５８ｂと制御回路（図示せず）とを有している。リード線１５８ａは、放電電極プレート１５４に接続されている。アース線１５８ｂは、接地されている。制御回路は、室内機２内の吹き出し口１４の近傍に配置され、電圧供給部１５８の稼働を制御する。本実施形態では、電圧供給部１５８によって、放電電極プレート１５４には、−５ｋＶの電圧が印加されるよう設定されている。
【００４８】
放電板カバー１５１は、本体部１５０の上方を覆うための保護部材であり、ベース部材１５２に対し着脱自在に装着されている。放電板カバー１５１は、帯電防止処理がなされている。
【００４９】
さらに、第１保持部１５３ａと第２保持部１５６ａとを結ぶ方向（以下、「横方向」という）の放電電極プレート１５４の長さＬ１は、第１保持部１５３ａと第２保持部１５６ａとの距離Ｌの半分より短くなるように構成されている。横方向の対向電極プレート１５７の長さＬ２は、第１保持部１５３ａと第２保持部１５６ａとの距離Ｌの半分より短くなるように構成されている。また、ベース部材１５２の上面Ｓ１と放電電極プレート１５４との距離Ｄ１は、横方向の放電電極プレート１５４の長さＬ１より長い。ベース部材１５２の上面Ｓ１と対向電極プレート１５７との距離Ｄ２は、横方向の対向電極プレート１５７の長さＬ２より長い。加えて、ベース部材１５２の上面Ｓ１と放電電極プレート１５４との距離Ｄ１は、ベース部材１５２の上面Ｓ１と対向電極プレート１５７との距離Ｄ２より長い。このように、放電電極プレート１５４と対向電極プレート１５７との絶縁距離が長くなっているため、両電極間でのトラッキングが起こりにくくなっている。
【００５０】
このように構成された空気調和機１では、運転開始が指示されると、室内及び室外ファン、冷媒回路が作動することにより、室内の空気は、室内機２内に吸い込まれて浄化され、室内熱交換器により熱交換され、吹き出し口１４から室内に吹き出される。
【００５１】
このとき、イオン発生装置１５では、電圧供給部１５８から放電電極プレート１５４に負電圧が印加されて針状電極１５５から対向電極プレート１５７への放電が起こる。すると、両電極１５４、１５７間を通る空気がイオン化され、マイナスイオンが生成される。この生成されたマイナスイオンが、吹き出し口１４から吹き出される送風と共に室内に供給される。
【００５２】
＜本空気調和機の特徴＞
（１）
この空気調和機１では、放電電極プレート１５４と対向電極プレート１５７とがベース部材１５２から離間された位置に設けられている。このため、放電によって、ベース部材１５２に空気中の塵や埃などの電解質が付着されることが少なくなるので、イオンの発生量が低下することを抑制することができる。また、この空気調和機１では、横方向の対向電極プレート１５７の長さＬ２が、第１保持部と第２保持部とを結ぶ距離Ｌの半分より短い。このため、放電が放電電極プレート１５４の針状電極１５５から起こりやすくなるので、放電電極プレート１５４から対向電極プレート１５７への放電が第１支持部材１５３から遠ざかる方向に起こりやすくなる。つまり、放電電極プレート１５４から対向電極プレート１５７への放電が第１中間部１５３ｂから離間された位置で行われるので、放電時に空気中の塵や埃などの電解質が第１中間部１５３ｂの表面に付着される可能性が少なくなる。その結果、第１中間部１５３ｂの表面を介して放電電極プレート１５４と対向電極プレート１５７との間に電流が流れにくくなるので、放電電極プレート１５４から対向電極プレート１５７に対する放電量の低下を抑えることができる。このため、このイオン発生装置１５では、マイナスイオンの発生量が低下することを抑制することができる。
【００５３】
（２）
この空気調和機１では、横方向の放電電極プレート１５４の長さＬ１が、第１保持部と第２保持部とを結ぶ距離Ｌの半分より短い。このため、対向電極プレート１５７は、放電を先端部１５７ａにおいて受けやすくなるので、放電電極プレート１５４から対向電極プレート１５７への放電経路が第２支持部材１５６から離間されることとなる。したがって、放電時に空気中の塵や埃などの電解質が第２支持部材１５６の表面に付着される可能性が少なくなる。このため、第２支持部材１５６の表面を介して放電電極プレート１５４と対向電極プレート１５７との間に電流が流れにくくなる。その結果、このイオン発生装置１５では、放電電極プレート１５４から対向電極プレート１５７に対する放電量の低下を抑え、マイナスイオンの発生量が低下することを抑制することができる。
【００５４】
（３）
この空気調和機１では、ベース部材１５２の上面Ｓ１と放電電極プレート１５４との距離Ｄ１が、横方向の放電電極プレート１５４の長さＬ１より長い。このため、放電電極プレート１５４から対向電極プレート１５７への放電が、ベース部材１５２の上面Ｓ１から離間された位置で行われる。したがって、放電時に空気中の塵や埃などの電解質がベース部材１５２の上面Ｓ１に付着される可能性が少なくなる。その結果、ベース部材１５２の上面Ｓ１を介して放電電極プレート１５４と対向電極プレート１５７との間に電流が流れにくくなるので、放電電極プレート１５４から対向電極プレート１５７への放電量の低下を抑えることができる。このため、この空気調和機１では、マイナスイオンの発生量が低下することを抑制することができる。
【００５５】
（４）
この空気調和機１では、ベース部材１５２の上面Ｓ１と放電電極プレート１５４との距離Ｄ１は、横方向の放電電極プレート１５４の長さＬ１より長い。このため、放電電極プレート１５４から対向電極プレート１５７への放電経路が、ベース部材１５２の上面Ｓ１から離間される。したがって、放電時に空気中の塵や埃などの電解質が、ベース部材１５２の上面Ｓ１に付着される可能性が低くなる。このため、ベース部材１５２の上面Ｓ１を介して放電電極プレート１５４と対向電極プレート１５７との間に電流が流れにくくなる。その結果、この空気調和機１では、放電電極プレート１５４から対向電極プレート１５７に対する放電量の低下を抑え、マイナスイオンの発生量が低下することを抑制することができる。
【００５６】
（５）
この空気調和機１では、ベース部材１５２の上面Ｓ１と対向電極プレート１５７との距離Ｄ２は、横方向の対向電極プレート１５７の長さＬ２より長い。このため、このため、放電電極プレート１５４から対向電極プレート１５７への放電経路が、ベース部材１５２の上面Ｓ１から離間される。したがって、放電時に空気中の塵や埃などの電解質が、ベース部材１５２の上面Ｓ１に付着される可能性が低くなる。このため、ベース部材１５２の上面Ｓ１を介して放電電極プレート１５４と対向電極プレート１５７との間に電流が流れにくくなる。その結果、この空気調和機１では、放電電極プレート１５４から対向電極プレート１５７に対する放電量の低下を抑え、マイナスイオンの発生量が低下することを抑制することができる。
【００５７】
（６）
この空気調和機１では、放電電極プレート１５４に針状電極１５５が対向電極プレート１５７に向かって突出して設けられている。つまり、放電電極プレート１５４の中でも針状電極１５５の先端が対向電極プレート１５７に最も近接しているので、針状電極１５５の先端から対向電極プレート１５７に向かって放電が起こる。したがって、放電電極プレート１５４から対向電極プレート１５７への放電の指向性が向上する。
【００５８】
［第２実施形態］
上記第１実施形態では、針状電極１５５が対向電極プレート１５７に向かって突出している。これに代えて、図６に示すように、針状電極１５５がベース部材１５２に向かって突出していても良い。
【００５９】
［第３実施形態］
図８は本発明の第３実施形態のイオン発生装置の斜視図を示している。この第３実施形態のイオン発生装置は、図８に示すように、略長方形状の傾斜面３０１ａを有する取付部材３０１と、上記取付部材３０１の傾斜面３０１ａに設けられた矩形穴３１１に嵌合して固定されたイオン発生部３０２とを備えている。
【００６０】
上記イオン発生部３０２は、設置面３２１およびその設置面３２１の両側に所定の間隔をあけて略平行に立設された第１隔壁３２３，第２隔壁３２４を有するベース部３２０と、上記ベース部３２０の第１隔壁３２３に片持ち支持された放電電極３２５と、上記ベース部３２０の第２隔壁３２４に片持ち支持された対向電極３２６とを備えている。上記ベース部３２０の設置面３２１，第１隔壁３２３および第２隔壁３２４は、絶縁性の樹脂により一体成形されている。
【００６１】
ここで、取付部材３０１の傾斜面３０１ａの高い方（図８の上側）を風上側として、その風上側に放電電極３２５を配置する一方、取付部材３０１の傾斜面３０１ａの低い方（図８の下側）を風下側として、その風下側対向電極３２６を配置している。
【００６２】
上記放電電極３２５は、第１隔壁３２３の外側壁面にネジ３２７により固定された基部３２５ａと、その基部３２５ａの一端（風上側）が略直角に折曲して第２隔壁３２４側に延びる屈曲部３２５ｂと、その屈曲部３２５ｂの先端近傍に設けられ、対向電極３２５側に向かって突出する針状放電部３２５ｃとを有している。上記基部３２５ａにリード線（図示せず）が接続され、そのリード線を介して電圧供給部（図示せず）から放電電極３２５にマイナスの高電圧が供給される。
【００６３】
一方、上記対向電極３２５は、第２隔壁３２４の風下側から第１隔壁３２３側に向かって第２隔壁３２４と第１隔壁３２３との間の略中間の位置まで延びている。上記対向電極３２５は、第２隔壁３２４を貫通しており、図示しないが、第２隔壁３２４の外側の壁面にネジを用いて固定されると共にアース線（図示せず）が接続されている。
【００６４】
また、上記取付部材３０１の一端（図８の右側端）に固定部３１２を設け、その固定部３１２にボス３１３を立設している。このボス３１３に設けられたネジ穴３１３ａを利用して、このイオン発生装置を空気調和機本体にネジ止め固定する。
【００６５】
上記構成のイオン発生装置は、図示しない電圧供給部から放電電極３２５に負電圧が印加されて針状放電部３２５ｃから対向電極３２６に対して放電が起こる。それによって、放電電極３２５と対向電極３２６との間の空気がイオン化されて、マイナスイオンが生成される。
【００６６】
図９は図８に示すイオン発生部３０２を保護カバー３０３で覆った状態のイオン発生装置を示す斜視図である。図９に示すように、複数の穴３３１が設けられた保護カバー３０３を取付部材３０１に嵌合して固定している。
【００６７】
このイオン発生装置は、第１実施形態の図１に示す空気調和機１と同様に、室内機２の吹き出し口１４における送風流れ中に設けられる。すなわち、この第３実施形態のイオン発生装置は、吹き出し口１４に通じる吹き出し通路の面に取付部材３０１の傾斜面３０１ａが沿うように取り付けられる。そうして、吹き出し通路を流れる空気は、風上側から矢印Ｒ１の方向に保護カバー３０３の風上側の穴３３１に流入し、マイナスイオンが付与された空気が風下側の穴３３１から矢印Ｒ２の方向に流れ出て、室内機２の吹き出し口１４から吹き出す。
【００６８】
上記第３実施形態のイオン発生装置によれば、放電電極３２５と対向電極３２６が、ベース部３２０の所定の間隔をあけて立設された第１隔壁３２３と第２隔壁３２６に夫々片持ち支持されており、放電電極３２５と対向電極３２６が第１隔壁３２３側と第２隔壁３２４側の離間した位置にあるため、沿面距離が十分に確保される。したがって、放電によって放電電極３２５と対向電極３２６やベース部３２０表面に空気中の塵や埃などの異物が付着しても、放電電極３２５と対向電極３２６との間にベース部３２０表面を介して電流が流れにくくリークの発生を防止でき、イオンの発生量が低下することを抑制することができる。
【００６９】
［第４実施形態］
図１０は本発明の第４実施形態のイオン発生装置の斜視図を示している。この第４実施形態のイオン発生装置は、ベース部を除いて第３実施形態のイオン発生装置と同一の構成をしており、同一構成部は同一参照番号を付している。
【００７０】
この第４実施形態のイオン発生装置は、図１０に示すように、略長方形状の傾斜面３０１ａを有する取付部材３０１と、上記取付部材３０１の傾斜面３０１ａに設けられた矩形穴３１１に嵌合して固定されたイオン発生部４０２とを備えている。
【００７１】
上記イオン発生部４０２は、設置面４２１およびその設置面４２１の両側に所定の間隔をあけて略平行に立設された第１隔壁４２３，第２隔壁４２４を有するベース部４２０と、上記ベース部４２０の第１隔壁４２３に片持ち支持された放電電極３２５と、上記ベース部４２０の第２隔壁４２４に片持ち支持された対向電極３２６とを備えている。そして、上記ベース部４２０の設置面４２１側に対向電極３２６を覆う絶縁性を有するカバーの一例としての第１絶縁カバー４２２を設けている。この第１絶縁カバー４２２は、ベース部４２０の下側から見ると、対向電極３２６を収納可能な溝状の凹部（図示せず）である。
【００７２】
また、第２隔壁４２４の外側を覆う絶縁性を有するカバーの一例としての第２絶縁カバー４２３ａを設けている。上記第１絶縁カバー４２２および第２絶縁カバー４２３ａにより対向電極３２６は、放電電極３２５側の空間と完全に隔離される。
【００７３】
上記ベース部４２０の設置面４２１，第１隔壁４２３，第２隔壁４２４，第１絶縁カバー４２２および第２絶縁カバー４２３ａは、絶縁性樹脂により一体成形されている。
【００７４】
上記第４実施形態のイオン発生装置は、上記第３実施形態のイオン発生装置と同様の効果を有すると共に、対向電極３２６を絶縁性を有する第１絶縁カバー４２２，第２絶縁カバー４２３ａで覆うことにより、対向電極３２６を放電電極３２５が露出する空間から隔てて、，第放電電極３２５と対向電極３２６との間を絶縁物（第１絶縁カバー４２２２，第２絶縁カバー４２３ａ）により絶縁するので、例え放電によって放電電極３２５やベース部４２０に空気中の塵や埃などの異物が付着しても、放電電極３２５と対向電極３２６との間が絶縁物により隔てられるので、その間にリーク電流が流れるのを防止することができる。
【００７５】
また、上記絶縁性を有する第１絶縁カバー４２２，第２絶縁カバー４２４ａをベース部４２０の第１，第２隔壁４２３，４２４と一体成形することによって、放電電極３２５と対向電極３２６との間を確実に絶縁することができる。なお、対向電極３２６を第１絶縁カバー４２２で覆い、第２絶縁カバー４２４ａがない場合であって、放電電極３２５と対向電極３２６との最短距離の間が絶縁物により隔てられるので、リーク電流が流れるのを防止することはできる。
【００７６】
なお、上記第４実施形態のイオン発生装置では、対向電極３２６を覆う第１絶縁カバー４２２，第２絶縁カバー４２３ａは、ベース部４２０の第１隔壁４２３，第２隔壁４２４と一体に成形されているが、対向電極を覆うカバーは、ベース部の第１，第２隔壁と別体であってもよい。
【００７７】
上記第１〜第４実施形態では、イオン発生装置を空気調和機に用いたが、イオン発生装置はこれに限らず、空気清浄機などの他の装置に用いてもよい。
【００７８】
また、第１〜第４実施形態では、マイナスイオンを発生するイオン発生装置について説明したが、プラスイオンを発生するイオン発生装置にこの発明を適用してもよい。
【００７９】
【発明の効果】
以上より明らかなように、請求項１に記載のイオン発生装置では、放電電極と対向電極とがベース部から離間した位置に設けられている。このため、放電によって、ベース部に空気中の塵や埃などの電解質が付着されることが少なくなるので、イオンの発生量が低下することを抑制することができる。さらに、第１電極保持部と第２電極保持部とを結ぶ方向の対向電極の長さが、第１電極保持部と第２電極保持部とを結ぶ最短距離の半分より短い。このため、放電が放電電極の第２支持部側の部分から起こりやすいので、放電が第１支持部から遠ざかる方向に起こりやすくなる。つまり、放電電極から対向電極への放電経路が第１支持部から離間されることとなるので、放電時に空気中の塵や埃などの電解質が第１支持部の表面に付着される可能性が少なくなる。このため、第１支持部の表面を介して放電電極と対向電極との間に電流が流れにくくなるので、放電電極から対向電極に対する放電量の低下を抑えることができる。このため、このイオン発生装置では、イオンの発生量が低下することを抑制することができる。
【００８０】
請求項２に記載のイオン発生装置では、対向電極は、放電を第１支持部側の部分において受けやすくなるので、放電電極から対向電極への放電経路は第２支持部から離間されることとなる。したがって、放電時に電解質が第２支持部の表面に付着される可能性が少なくなる。このため、第２支持部の表面を介して放電電極と対向電極との間に電流が流れにくくなる。その結果、このイオン発生装置では、放電電極から対向電極に対する放電量の低下をさらに抑え、イオンの発生量が低下することをさらに抑制することができる。
【００８１】
請求項３に記載のイオン発生装置では、放電電極から対向電極への放電は、第１設置面から離間された位置で行われることとなる。したがって、放電時に空気中の塵や埃などの電解質が第１設置面に付着される可能性が少なくなるので、第１設置面を介して放電電極と対向電極との間に電流が流れにくくなる。このため、放電電極から対向電極に対する放電量の低下をさらに抑えることができる。その結果、このイオン発生装置では、イオンの発生量が低下することをさらに抑制することができる。
【００８２】
請求項４に記載のイオン発生装置では、放電電極から対向電極への放電経路が、第１設置面から離間されている。したがって、放電時に空気中の塵や埃などの電解質が第１設置面に付着される可能性が少なくなる。このため、第１設置面を介して放電電極と対向電極との間に電流が流れにくくなる。その結果、このイオン発生装置では、放電電極から対向電極に対する放電量の低下をさらに抑え、イオンの発生量が低下することをさらに抑制することができる。
【００８３】
請求項５に記載のイオン発生装置では、放電電極から対向電極への放電経路が、第１設置面から離間されている。したがって、放電時に空気中の塵や埃などの電解質が第１設置面に付着される可能性が少なくなる。このため、第１設置面を介して放電電極と対向電極との間に電流が流れにくくなる。その結果、このイオン発生装置では、放電電極から対向電極に対する放電量の低下をさらに抑え、イオンの発生量が低下することをさらに抑制することができる。
【００８４】
請求項６に記載のイオン発生装置では、放電電極の中でも針状電極の先端が対向電極に最も近接しているので、針状電極の先端から対向電極に向かって放電が起こる。したがって、放電電極から対向電極への放電の指向性が向上する。
【００８５】
請求項７に記載のイオン発生装置では、放電によりイオンを発生させるイオン発生装置であって、所定の間隔をあけて立設された第１隔壁と第２隔壁とを有するベース部を備え、そのベース部の第１隔壁に放電電極が片持ち支持する一方、ベース部の第２隔壁に対向電極を片持ち支持するので、放電電極と対向電極とが第１隔壁側と第２隔壁側の離間した位置にあるため、沿面距離を十分に確保することができる。したがって、放電によって電極やベース部に導電性の異物が付着しても、ベース部表面を介して放電電極と対向電極との間にリーク電流が流れるのを防止でき、イオンの発生量が低下することを抑制することができる。
【００８６】
請求項８に記載のイオン発生装置では、前記対向電極を絶縁性を有するカバーで覆うことにより、対向電極が放電電極が露出する空間と隔てられ、放電電極と対向電極との間を絶縁物により絶縁することができるので、例え放電によって放電電極やベース部に導電性の異物が付着しても、放電電極と対向電極との間にベース部表面を介してリーク電流が流れるのを防止することができる。
【００８７】
請求項９に記載のイオン発生装置では、前記絶縁性を有するカバーをベース部の第１，第２隔壁と一体に形成することによって、放電電極と対向電極との間を確実に絶縁することができると共に、製造コストを低減することができる。
【００８８】
請求項１０に記載の空気調和機では、空気調和部により空気が調和される。調和された空気は、送風部により室内へ送風される。上記イオン発生装置が、送風部により発生される空気流れの中に設けられ、空気の一部をイオン化させる。このため、室内にイオン化された調和空気が供給される。この空気調和機では、放電電極から対向電極に対する放電量の低下を抑えることができるため、イオン発生装置のイオンの発生量が低下することを抑制することができる。
【図面の簡単な説明】
【図１】図１は本発明の一実施の形態が採用される空気調和機の外観図である。
【図２】図２は冷媒系統図である。
【図３】図３はイオン発生装置を示す正面図である。
【図４】図４は放電板カバーをはずした状態のイオン発生装置を示す正面図である。
【図５】図５は図３に示すＶ−Ｖ線から見た断面図である。
【図６】図６は他の実施の形態のイオン発生装置を示す正面図である。
【図７】図７は従来のイオン発生装置の構成図である。
【図８】図８は本発明の第３実施形態のイオン発生装置の斜視図である。
【図９】図９は図８に示すイオン発生部を保護カバーで覆った状態のイオン発生装置を示す斜視図である。
【図１０】図１０は本発明の第４実施形態のイオン発生装置の斜視図である。
【符号の説明】
１　　　　　空気調和機
１１　　　　室内熱交換器（空気調和部）
１２　　　　クロスフローファン（送風部）
１３　　　　ファンモータ（送風部）
１５　　　　イオン発生装置
１５２　　　ベース部材（ベース部）
１５３　　　第１支持部材（第１支持部）
１５３ａ　　第１保持部
１５３ｂ　　第１中間部
１５３ｃ　　第１固定部
１５４　　　放電電極プレート（放電電極）
１５５　　　針状電極
１５６　　　第２支持部材（第２支持部）
１５６ａ　　第２保持部
１５６ｂ　　第２中間部
１５６ｃ　　第２固定部
１５７　　　対向電極プレート（対向電極）
１５８　　　電圧供給部
Ｓ１　　　　上面（第１設置面）
３０１　　　取付部材
３０２　　　イオン発生部
３０３　　　保護カバー
３１１　　　矩形穴
３１２　　　固定部
３１３　　　ボス
３２０　　　ベース部
３２１　　　設置面
３２３　　　第１隔壁
３２４　　　第２隔壁
３２５　　　放電電極
３２６　　　対向電極
３２７　　　ネジ
４０２　　　イオン発生部
４２１　　　設置面
４２２　　　第１絶縁カバー
４２３　　　第１隔壁
４２４　　　第２隔壁
４２４ａ　　　第２絶縁カバー
【図１】
2004141848.tif 000003
【図２】
2004141848.tif 000004
【図３】
2004141848.tif 000005
【図４】
2004141848.tif 000006
【図５】
2004141848.tif 000007
【図６】
2004141848.tif 000008
【図７】
2004141848.tif 000009
【図８】
2004141848.tif 000010
【図９】
2004141848.tif 000011
【図１０】
2004141848.tif 000012